(57)【要約】【課題】人体への汚染物質の直接摂取可能性を絶ちながら、同時に浄化を進めることができる土壌浄化方法を提供する。【解決手段】汚染地帯における汚染土壌を幅５０ｃｍ以上深さ５０ｃｍ以上の領域に渡り掘削したうえで別の土壌により埋め戻し、当該汚染地帯の土壌上部をアスファルトもしくはコンクリートで全面に舗装したのちに、埋め戻した箇所の直上にあたる舗装の中央部分のみを直径１５ｃｍ以下の円筒形状に鉛直方向にくりぬき、くりぬかれた部分を通じて植物を生殖させ当該植物の根部からの汚染物質吸収もしくは汚染物質分解作用によって土壌汚染を浄化する。【選択図】    図１
2005021800.tif 000002
【特許請求の範囲】
【請求項１】
汚染地帯における汚染土壌を幅５０ｃｍ以上深さ５０ｃｍ以上の領域に渡り掘削したうえで別の土壌により埋め戻し、当該汚染地帯の土壌上部をアスファルトもしくはコンクリートで全面に舗装したのちに、埋め戻した箇所の直上にあたる舗装の中央部分のみを直径１５ｃｍ以下の円筒形状に鉛直方向にくりぬき、くりぬかれた部分を通じて植物を生殖させ当該植物の根部からの汚染物質吸収もしくは汚染物質分解作用によって土壌汚染を浄化することを特徴とする土壌浄化方法。
【請求項２】
請求項１記載の土壌浄化方法において、掘削したうえで埋め戻し植物を生殖させる箇所の間隔が２ｍ以内の距離であることを特徴とする土壌浄化方法。
【請求項３】
請求項１もしくは請求項２記載の土壌浄化方法において、くりぬかれた部分の一部は水供給孔とすることを特徴とする土壌浄化方法。
【発明の詳細な説明】
【０００１】
【発明の属する技術分野】
本発明は、汚染物質により汚染された土地の修復において、汚染土壌上部に生殖させる植物の働きによって汚染を浄化する方法に関する。
【０００２】
【従来の技術】
汚染された土壌の浄化方法において、一般にファイトレメディエーション（植物利用土壌修復）と呼ばれるところの植物を利用した低コストな汚染物質浄化方法が検討され始めている。この方法は、植物の根が土壌中の重金属や有機汚染物質を吸い上げる働きがあることを利用した方法であり、重金属の場合であれば、身近なところでは向日葵やアブラナなどが鉛や砒素などの重金属を根から集めて地上の茎や葉に蓄積させる働きがあることが知られている。有機物汚染の一部の場合は単に吸い上げるだけでなく植物の細胞内で分解することも報告されている。
【０００３】
これらの生物現象を利用して土壌汚染浄化のための技術展開が国内でも検討されてきており、例えば汚染土壌中から重金属類を経済的に除去する方法として、特開昭５７−１９０では水銀やカドミウムに汚染された土壌の浄化手段が紹介されている。
【０００４】
【特許文献】
特開昭５７−１９０
【０００５】
【発明が解決しようとする課題】
一方、広域な汚染土壌地帯に対する緊急避難的な環境対策として、盛土や舗装がある。これらの処置は、汚染土壌または汚染土壌に含まれている有害物質が飛散等により人体に悪影響を及ぼすのを防止するための処理として既に一般に行われていることであるが、汚染地帯の上部に完全に覆いを形成してしまうことから、前述したファイトレメディエーションの適用を不可能としてしまう。
【０００６】
例えば、盛土の場合は厚さ５０ｃｍ以上の土壌で新たに覆うか、もしくは深さ５０ｃｍ以上の表層土壌の入れ替えが必要とされているが、木の根が深さ５０ｃｍ以深まで伸びるには相当の期間を要するし、また草類は一般に深さ５０ｃｍ以深には根が張らないのが通常であるため、盛土した場所で植物を生育させて根を汚染深度まで行き渡らせるのは難しい。
【０００７】
また、舗装では厚さが１０ｃｍ以上のコンクリートもしくは厚さが３ｃｍ以上のアスファルトで上部全面を覆うことが要求されるので、当然、植物が舗装を貫いて生えることができない。このように、ファイトレメディエーションによる浄化方法の実施にあたっては、人体への汚染物質の直接摂取可能性を絶ちながら、同時に浄化を進めうるような、新たな工夫を行うことが必要であった。
【０００８】
【課題を解決するための手段】
この課題を解決するために、本発明においては、汚染地帯における汚染土壌を幅５０ｃｍ以上深さ５０ｃｍ以上の領域に渡り掘削したうえで別の土壌により埋め戻し、当該汚染地帯の土壌上部をアスファルトもしくはコンクリートで全面に舗装したのちに、埋め戻した箇所の直上にあたる舗装の中央部分のみを直径１５ｃｍ以下の円筒形状に鉛直方向にくりぬき、くりぬかれた部分を通じて植物を生殖させ当該植物の根部からの汚染物質吸収もしくは汚染物質分解作用によって土壌汚染を浄化するところの土壌浄化方法を提案するものであり、望ましくは、掘削したうえで埋め戻し植物を生殖させる箇所の間隔が２ｍ以内の距離を含み、また、望ましくは、くりぬかれた部分の一部は水供給孔とする土壌浄化方法を提案するものである。
【０００９】
【発明の実施の形態】
（実施例１）
図１を用いて本発明の実施例１を説明する。本発明では図１のように汚染地帯上部に舗装をおこなうことは従来の汚染拡散防止策と同様であるが、舗装を行う前に所定の複数の箇所についてだけは、それぞれ幅が５０ｃｍ以上で深さ５０ｃｍ以上の範囲を掘削して、別の汚染されていない土壌で埋め戻した領域１を設けておく。その後、上部を全面に渡りいったん通常の方法で舗装するが、舗装の後に、舗装２の埋め戻し領域の箇所の直上にあたる中央部分のみを直径１５ｃｍ以下の円筒形状に鉛直方向に複数くりぬき、くりぬいた孔部３を設ける。そして、くりぬかれた孔部３を通じて、土壌を浄化する能力を持つ植物を生殖させ、その根が掘削・埋め戻し領域からさらに外側に広がることによって、主に伸長した根からの汚染物質吸収させたうえで、例えば所定の期間の後に植物を伐採することによって汚染物質を分離し、または植物の持つ汚染物質分解作用によって土壌汚染を浄化することが、汚染の拡散防止策の実施と同時に可能となる。
【００１０】
すなわち、最初に埋め戻した部分が存在することによって、くりぬかれた直径１５ｃｍ以下の円筒上部から汚染土壌または汚染土壌に含まれている有害物質が飛散等により拡散して、人体に悪影響を及ぼすのを防止対策と、汚染源自体を絶つための対策とが、同時に可能となる。
【００１１】
なお、本発明における汚染土壌とは、その汚染源としては、ベンゼン、トルエン、エチルベンゼン、キシレン、塩素系有機化合物、油、ＰＣＢ、ダイオキシン類などの有機系汚染物が含まれる。鉛、カドミウム、砒素、水銀、セレン、クロムなどの重金属類も含まれ、これらの汚染物質を含有する汚染土壌に対し本発明は有効である。また、本発明における舗装とは、厚さが１０ｃｍ以上のコンクリートもしくは厚さが３ｃｍ以上のアスファルトまたはこれと同等以上の耐久性および遮断の効力を有するものを指す。
【００１２】
（実施例２、３）
図２および図３に本発明の実施例２、３を示す。植物の根は５０ｃｍ以深へ伸びることは一般には希であるが、多くの草類を含む植物種の根は横方向には数メートル以上伸長できるので、広域に汚染された汚染地帯で特に表層部の汚染が著しいケースには大きな効力を発揮することが可能である。横方向への根の広がりがあるとしても根の密集度を均質に保つために、舗装をくりぬいたうえで植物を生育させる複数の箇所の間隔として、水平方向に２ｍ以内の間隔としておくことが望ましい。
【００１３】
図２は例えば２ｍ以内の一定の間隔で植物を複数配置した例である。また、植物の根の生育方向は土壌の湿潤域へ向けての自然な伸長を促すことが効果的であることから、図３のように、植物を生育させる箇所と水を供給する箇所との区分をしたうえで、植物の根が水供給孔５に向かって水平方向に特に伸長するように工夫をすることが望ましい。
【００１４】
【発明の効果】
本発明によれば、汚染物質により汚染された土地の修復において、緊急避難的な封じ込め方法をとりながら、なおかつ同時に汚染自体の解消のための浄化処理を並行して進めることが可能であり、さらに汚染浄化コストとしても自然な植物生育手段という低コストな技法が採用できるため、全体の浄化コストを低下させることも可能となる。
【図面の簡単な説明】
【図１】図１は本発明の実施例１の土壌浄化方法を説明するための概略断面図である。
【図２】図２は本発明の実施例２の土壌浄化方法を説明するための概略断面図である。
【図３】図３は本発明の実施例３の土壌浄化方法を説明するための概略断面図である。
【符号の説明】
１：  掘削・埋め戻し領域
２：  舗装
３：  舗装くりぬき部
４：  植物
５：水注入孔
【図１】
2005021800.tif 000003
【図２】
2005021800.tif 000004
【図３】
2005021800.tif 000005